(57)【要約】      （修正有）【課題】オゾン分解塔を２重に保護した船舶バラスト水の処理装置の制御システムを提供する。【解決手段】船舶内に設置されたバラスト水処理装置の制御システムにおいて、バラストポンプ４により移送されるバラスト水中にオゾン発生装置５によって生成されたオゾンを混入させるオゾン混合装置７と、前記オゾン混合装置で混入されたオゾンのうちの余剰のオゾンを分離するためのオゾン分離タンク９と、分離されたオゾンを分解するオゾン分解塔１０を有し、且つ前記オゾン分離タンクにハイレベル液面計９１と該オゾン分離タンクからオゾン分解塔に至る配管に開閉弁９３を有し、該ハイレベル液面計が液面を検知したら該開閉弁を閉じる制御を行う制御部を有しており、更に前記オゾン分離タンクにハイ−ハイレベル液面計９４と該オゾン分解塔に至る配管に開閉弁９５を有し、前記制御部は該ハイ−ハイレベル液面計が液面を検知したら該開閉弁を閉じる制御を行う。【選択図】        図１
2008093587.tif 000002
【特許請求の範囲】
【請求項１】
船舶内に設置されたバラスト水処理装置の制御システムにおいて、
該バラスト水処理装置は、バラストポンプにより移送されるバラスト水中にオゾン発生装置によって生成されたオゾンを混入させるオゾン混合装置と、前記オゾン混合装置で混入されたオゾンのうちの余剰のオゾンを分離するためのオゾン分離タンクと、分離されたオゾンを分解するオゾン分解塔を有し、且つ前記オゾン分離タンクにハイレベル液面計（ＨＬ）と該オゾン分離タンクからオゾン分解塔に至る配管に開閉弁（Ｉ）を有し、該ハイレベル液面計（ＨＬ）が液面を検知したら該開閉弁（Ｉ）を閉じる制御を行う制御部を有しており、
更に前記オゾン分離タンクにハイ−ハイレベル液面計（ＨＨＬ）と該オゾン分解塔に至る配管に開閉弁(II)を有し、前記制御部は該ハイ−ハイレベル液面計（ＨＨＬ）が液面を検知したら該開閉弁(II)を閉じる制御を行うことを特徴とするバラスト水処理装置の制御システム。
【請求項２】
前記オゾン混合装置の後方に、バラスト水中の水生生物や細菌類を剪断力によって破壊するための複数のスリット状の開口を有するスリット板を有することを特徴とする請求項１記載のバラスト水処理装置の制御システム。
【請求項３】
前記オゾン分離タンクからオゾン分解塔に至る配管に、減圧弁を有することを特徴とする請求項１又は２記載のバラスト水処理装置の制御システム。
【請求項４】
前記オゾン分離タンクからオゾン分解塔に至る配管に、定流量弁を有することを特徴とする請求項１〜３の何れかに記載のバラスト水処理装置の制御システム。
【発明の詳細な説明】
【技術分野】
【０００１】
本発明は、船舶バラスト水の処理装置の制御システムに関し、詳しくは、オゾン分解塔を二重に保護して船舶の航行上支障を生じさせない船舶バラスト水の処理装置の制御システムに関する。
【背景技術】
【０００２】
原油やコンテナ等を輸送する貨物用船舶には、航行時の船体の安定性を保つためにバラストタンクが設けられている。通常、原油等が積載されていないときには、バラストタンク内をバラスト水で満たし、原油やコンテナ等を積み込む際にバラスト水を排出することにより、船体の浮力を調整し、船体を安定化させている。
【０００３】
このようにバラスト水は、船舶の安全な航行のために必要な水であり、通常、荷役を行う港湾の海水が利用される。その量は、世界的にみると年間３０〜４０億トンと推計されている。
【０００４】
ところで、バラスト水中には、それを取水した港湾に生息する水生生物が混入しており、船舶の移動に伴い、これら水生生物が同時に異国に運ばれることになる。
【０００５】
従って、もともとその海域には生息していなかった生物種が、既存生物種に取って代わるといった生態系の破壊が深刻化している。
【０００６】
このような背景の中、国際海事機関（ＩＭＯ）の外交会議において、船舶のバラスト水及び沈殿物の規制及び管理のための条約（以下、条約という）が採択され、バラスト水処理装置を用いたバラスト水管理の実施義務が２００９年以降の建造船から適用される予定となっている。
【０００７】
また、条約によりバラスト水の排出基準は、以下の表１に示すように定められている。
【０００８】
【表１】
2008093587.tif 000003
【０００９】
以上のような背景から、上記のような問題を解決できるバラスト水の処理技術の開発が急務となっている。
【００１０】
従来、プランクトン等の微生物を含む水を物理的に処理する手法としては、バラスト水に対してオゾンガスを注入することにより、バラスト水中の微生物を殺菌あるいは除菌する技術が特許文献１に開示されている。
【００１１】
また、水生生物が含まれた水を高圧のポンプによりスリット板に通過させ、水生生物を機械的に破壊して殺滅する技術が特許文献２に開示されている。
【００１２】
しかし、いずれにも実際の船舶に如何に搭載してバラスト水を処理するかについての具体的な開示はない。
【特許文献１】特開２００４−１６０４３７号公報
【特許文献２】特開２００３−２００１５６号公報
【特許文献３】特開２００３−３０５３４８号公報
【発明の開示】
【発明が解決しようとする課題】
【００１３】
本発明者は、既設の船舶バラスト水処理装置を設置する際に、船舶特有の課題があることがわかった。バラスト水処理装置として、バラストポンプにより移送されるバラスト水中にオゾン発生装置によって生成されたオゾンを混入させるオゾン混合装置と、前記オゾン混合装置で混入されたオゾンのうちの余剰のオゾンを分離するためのオゾン分離タンクと、分離されたオゾンを分解するオゾン分解塔を有する装置を考案し、船舶に設置することを検討した。
【００１４】
かかる考案装置において、オゾン分解塔の保護のために、オゾン分離タンクにハイレベル液面計（ＨＬ）と該オゾン分離タンクからオゾン分解塔に至る配管に開閉弁（Ｉ）を設けることを検討した。すなわち、オゾン分離タンク内の液面がＨＬになったら、開閉弁(I)を閉じて、オゾン分離タンク内の液体がオゾン分解塔に送られないようにするためである。
【００１５】
しかし、ハイレベル液面計（ＨＬ）の検出不良になったり、開閉弁（Ｉ）に故障が生じた場合には、オゾン分離タンク内の液体がオゾン分解塔に送られてしまい、オゾン分解塔に損傷を与えるおそれがある。
【００１６】
またオゾン分離タンク内の圧力は、タンク内のバラスト水の送り先であるバラストタンク側の水位の変動に応じて変動するので、圧力が高い状態でオゾン分離タンクがガスを放出した際には、オゾン分解塔の処理能力を超える大量のガスがオゾン分解塔に送り込まれることになり、この場合にもやはりオゾン分解塔の損傷を招くおそれがある。
【００１７】
上記のような原因でオゾン分解塔が損傷すれば、オゾンを大気中に放出することになり、船舶の運行上好ましいことではない。
【００１８】
そこで、本発明は、オゾン分解塔を２重に保護して船舶の航行上支障を生じさせない船舶バラスト水の処理装置の制御システムを提供することを課題とする。
【００１９】
本発明の他の課題は、以下の記載により明らかとなる。
【課題を解決するための手段】
【００２０】
上記課題は、以下の各発明によって解決される。
【００２１】
（請求項１）
船舶内に設置されたバラスト水処理装置の制御システムにおいて、該バラスト水処理装置は、バラストポンプにより移送されるバラスト水中にオゾン発生装置によって生成されたオゾンを混入させるオゾン混合装置と、前記オゾン混合装置で混入されたオゾンのうちの余剰のオゾンを分離するためのオゾン分離タンクと、分離されたオゾンを分解するオゾン分解塔を有し、且つ前記オゾン分離タンクにハイレベル液面計（ＨＬ）と該オゾン分離タンクからオゾン分解塔に至る配管に開閉弁（Ｉ）を有し、該ハイレベル液面計（ＨＬ）が液面を検知したら該開閉弁（Ｉ）を閉じる制御を行う制御部を有しており、更に前記オゾン分離タンクにハイ−ハイレベル液面計（ＨＨＬ）と該オゾン分解塔に至る配管に開閉弁(II)を有し、前記制御部は該ハイ−ハイレベル液面計（ＨＨＬ）が液面を検知したら該開閉弁(II)を閉じる制御を行うことを特徴とするバラスト水処理装置の制御システム。
【００２２】
（請求項２）
前記オゾン混合装置の後方に、バラスト水中の水生生物や細菌類を剪断力によって破壊するための複数のスリット状の開口を有するスリット板を有することを特徴とする請求項１記載のバラスト水処理装置の制御システム。
【００２３】
（請求項３）
前記オゾン分離タンクからオゾン分解塔に至る配管に、減圧弁を有することを特徴とする請求項１又は２記載のバラスト水処理装置の制御システム。
【００２４】
（請求項４）
前記オゾン分離タンクからオゾン分解塔に至る配管に、定流量弁を有することを特徴とする請求項１〜３の何れかに記載のバラスト水処理装置の制御システム。
【発明の効果】
【００２５】
本発明によれば、オゾン分解塔を２重に保護して船舶の航行上支障を生じさせない船舶バラスト水の処理装置の制御システムを提供することができる。
【発明を実施するための最良の形態】
【００２６】
以下、本発明の実施の形態について図面を用いて説明する。
【００２７】
図１は、バラスト水処理装置の一例を示す概略構成図であり、図２は本発明の要部を示す説明図である。
【００２８】
図中、１はコンテナ船などの船体、２は該船体１内に設けられたバラストタンクであり、図１では、バラストタンク２は１つだけ示されているが、通常、バラストタンク２は船体１内に複数設けられている。３はバラストタンク２にバラスト水を移送する主配管、４はバラスト水を取水するバラストポンプである。
【００２９】
本発明においてバラスト水には、例えば海水等が用いられ、かかるバラスト水には、動物プランクトン、植物プランクトン、微生物等の水生生物や細菌類を含む。
【００３０】
５はオゾンを生成するオゾン発生装置で、例えばコンテナ船の船尾甲板付近に設置される。６はオゾン発生装置５で生成されたオゾンを供給するオゾン供給ラインである。７はバラスト水中にオゾン発生装置５で生成されたオゾンを混入させるオゾン混合装置である。
【００３１】
オゾン混合装置７は、バラストポンプ４によって取水されたバラスト水に、オゾン発生装置５によって生成されたオゾンを混入させる。
【００３２】
オゾン発生装置５は、コンプレッサー５１、酸素発生器５２及びオゾン発生器５３を有しており、酸素発生器５２及びオゾン発生器５３を経て生成されたオゾンが、コンプレッサー５１によってオゾン供給ライン６を介してオゾン混合装置７に供給される。
【００３３】
このオゾン混合装置７は、主配管３を移送されるバラスト水とオゾンもしくはオゾンと酸素の混合気体とを気液混合する気液混合装置（オゾンインジェクター）を用いた例を示しているが、バラスト水中に所定濃度のオゾンを混入させることができるものであれば特に問わない。例えば、スタティックミキサー、ラインミキサーなどの静的混合機を使用することもできる。
【００３４】
８はバラスト水中の水生生物や細菌類を剪断力によって破壊するためのスリット板である。
【００３５】
９は前記オゾン混合装置７で混入されたオゾンのうちの余剰のオゾンを分離するためのオゾン分離タンクであり、１０は分離されたオゾンを導入して分解するオゾン分解塔であり、１１は制御部である。
【００３６】
オゾン分離タンク９は上部にオゾン分離部９０が形成されており、該分離部９０にはハイレベル液面計（ＨＬ）９１が設けられ、オゾン分離タンク９からオゾン分解塔１０に至る配管９２には開閉弁（Ｉ）９３が設けられている。
【００３７】
制御部１１は、ハイレベル液面計（ＨＬ）９１が液面を検知したら、開閉弁（Ｉ）９３を閉じる制御を行う。
【００３８】
本発明では、更にオゾン分離タンクの分離部９０に、ハイ−ハイレベル液面計（ＨＨＬ）９４が設けられ、且つ配管９２に開閉弁(II)９５が設けられている。
【００３９】
本発明では、ハイレベル液面計（ＨＬ）９１が検出不良になったり、開閉弁（Ｉ）９３に故障が生じた場合には、オゾン分離タンク９内の液体がオゾン分解塔１０に送られてしまい、オゾン分解塔１０に損傷を与えるおそれがあるため、かかる問題を生じさせないために、制御部１１は、液面上昇に応じて開閉弁（Ｉ）９３が閉じなかった場合にも、ハイ−ハイレベル液面計（ＨＨＬ）９４が液面を検知したら、開閉弁(II)９５を閉じる制御を行うものであり、２重の保護機能を果たす。
【００４０】
なお、図示しないが、オゾン分離タンク９内の液体が所定液面まで低くなったら、開閉弁（Ｉ）９３又は開閉弁(II)９５を開く制御を行う。
【００４１】
バラストポンプ４によって取水されたバラスト水は、主配管３を通ってバラストタンク２に移送される。この主配管３途中に、バラスト水処理装置によってオゾンが注入され、バラスト水の処理が行われる。
【００４２】
スリット板８は、オゾン混合装置７によってオゾンが混入されたバラスト水を高圧で通過させることにより、バラスト水中の水生生物や細菌類を剪断力によって破壊する。
【００４３】
このスリット板８の詳細を図３、図４に示す。
【００４４】
図３は、主配管３内のスリット板８を示す断面図、図４は、図３のIV−IV線断面図であり、これらに示すように、スリット板８は主配管３の内部に、該主配管３の流路全体を塞ぐようにして配設されている。
【００４５】
スリット板８には複数のスリット状の開口８１が形成されている。開口８１の開口幅は、バラスト水中の水生生物や細菌類を剪断力によって破壊する効果が充分に発揮され得る幅に設定されるが、好ましくは２００μｍ〜５００μｍとすることである。
【００４６】
主配管３内を移送されるバラスト水は、バラストポンプ４によってこのスリット板８に向かって高圧で圧送される。圧送されたバラスト水は乱流状態のままスリット板８のスリット状の開口８１を通過しようとし、この開口８１を通過する際に剪断現象が生じることで、バラスト水中の水生生物や細菌類を破壊して殺滅する。
【００４７】
かかる剪断力による破壊、殺滅効果をより発揮させるために、スリット板８は、バラスト水の流れ方向に対して直交する方向に取り付けることが好ましい。
【００４８】
また、スリット板８は、主配管３内に密接して取り付けられるが、図示しないが、容易に取り外し可能として洗浄することができるように、フランジ等によって主配管３に介設することが好ましい。
【００４９】
スリット板８に形成される複数のスリット状の開口８１の形状は、図４に例示するように、細長い長方形状からなるものが好ましい態様として挙げられる。開口８１の本数は特に限定されず、バラスト水の圧力損失、剪断現象の発生状況に応じて適宜設定される。
【００５０】
なお、各開口８１は、図４に示すように全て同じ長さに形成してもよいが、主配管３の断面形状に合わせて、中央部の開口８１を長く、端部に行くほど短く形成してもよい。
【００５１】
また、各開口８１の形状は直線状に限らず、円弧状等の曲線状に形成してもよい。
【００５２】
更に、主配管３内に配設されるスリット板８の枚数は１枚に限らず、複数枚を間隔をおいて配設してもよい。複数枚のスリット板８を配設する場合は、各スリット板８のそれぞれの開口８１の幅、大きさ、本数、形状を異ならせることが好ましい。これにより、剪断現象をより一層効果的に発揮させることができ、バラスト水中の水生生物や細菌類の破壊、殺滅効果をより向上させることができる。
【００５３】
このようにして、主配管３内を移送されるバラスト水中の水生生物や細菌類は、バラスト水処理装置によるバラスト水中へのオゾン混入とスリット板８による剪断力とによって除去あるいは殺滅される。
【００５４】
本発明では、上記の２重の保護機能に加えて更なる安全策を講じている。例えばオゾン分離タンク９内の圧力は、タンク内のバラスト水の送り先であるバラストタンク２側の水位の変動に応じて変動するので、圧力が高い状態でオゾン分離タンク９がガスを放出した際には、オゾン分解塔１０の処理能力を超える大量のガスがオゾン分解塔１０に送り込まれることになり、オゾン分解塔１０の損傷を招くおそれがある。このような問題の発生を水に防止するために、オゾン分離タンク９からオゾン分解塔１０に至る配管９２に、減圧弁１２を設けている。この減圧弁１２の存在によってオゾン分解塔１０の損傷を防止できる。また本発明では、オゾン分離タンク９からオゾン分解塔１０に至る配管９２に、定流量弁１３を設けることも好ましい。オゾン分解塔１０の損傷を防止できるからである。本発明では減圧弁１２と定流量弁１３の何れか一方を設けるだけでもよいが、両方設けることがより好ましい。
【図面の簡単な説明】
【００５５】
【図１】バラスト水処理装置の一例を示す概略構成図
【図２】本発明の要部を示す説明図
【図３】主配管内のスリット板を示す断面図
【図４】図３のＩＶ−ＩＶ線断面図
【符号の説明】
【００５６】
１：船体
２：バラストタンク
３：主配管
４：バラストポンプ
５：オゾン発生装置
５１：コンプレッサー
５２：酸素発生器
５３：オゾン発生器
６：オゾン供給ライン
７：オゾン混合装置
８：スリット板
８１：開口
９：オゾン分離タンク
９０：オゾン分離部
９１：ハイレベル液面計（ＨＬ）
９２：配管
９３：開閉弁（Ｉ） 
９４：ハイ−ハイレベル液面計（ＨＨＬ）
９５：開閉弁(ＩＩ)
１０：オゾン分解塔
１１：制御部
１２：減圧弁
１３：定流量弁
【図１】
2008093587.tif 000004
【図２】
2008093587.tif 000005
【図３】
2008093587.tif 000006
【図４】
2008093587.tif 000007